(57)【要約】【課題】  発光素子とスイッチ等を備えた操作基板を本体内に水平状に配置して、本体内のスペースを有効利用できるとともに、比較的遠い水平距離をおいても発光体からの表示を視認しやすくした機器を提供することを目的とする。【解決手段】  本体１の前面上部内に、ＬＥＤ等からなる複数の発光素子２６とスイッチを設けた操作基板２４を水平状に配設し、又、同操作基板上２４に、前記発光素子２６を収納する収納部を備えた透明部材からなり、樹脂成型により形成された導光部材１０を支持し、同導光部材１０の膨出部１０ａを表示部９に穿設された複数の矩形状の孔から露出させる一方、前記導光部材の背面に、白色系の反射材１０ｂを形成し、前記発光素子２６から後方に向け投射された光を、前記反射材１０ｂにより水平方向に反射させる。【選択図】図７
2007109449.tif 000002
【特許請求の範囲】
【請求項１】
本体内に配設された基板上に発光素子とスイッチとを実装し、操作面と、同操作面に対して角度をもって設けられる表示孔を有する表示面を備えた機器において、
前記基板は前記操作面と平行に配設され、前記スイッチは前記操作面に対応して配置され、前記発光素子は前記表示面に対応して配置され、前記表示面と前記発光素子との間に、一部を前記表示孔に臨ませた導光部材を有することを特徴とする機器。
【請求項２】
前記導光部材の背面に反射材を設けてなることを特徴とする請求項１に記載の空気調和機。
【請求項３】
前記導光部材に防水機構を設けてなることを特徴とする請求項１に記載の空気調和機。
【発明の詳細な説明】
【技術分野】
【０００１】
本発明は、表示面を有する機器に係わり、より詳細には、発光素子及びスイッチ等を配設した操作基板を水平状に配置して、操作性を向上しつつ、視認性も向上させた構成に関する。
【背景技術】
【０００２】
従来の表示面を有する機器として、例えば図８（Ａ）で示すように、空気調和機の本体前面に開閉自在に装着されたオープンパネル５０に、導光板５２からなる表示装置５１を設けた例が提示されている（例えば、特許文献１参照）。前記空気調和機の本体内には、ＬＥＤ等からなる発光素子５５が前記導光板５２の下方に固定され、前記導光板５２の下面は前記発光素子５５から投射された光が入光する入光面５２ａとなっており、同入光面５２ａから入光した光は前記導光板５２内を拡散しながら進行し、前面上部の出射面５２ｂから外部に向けて出射されるようになっている。
【０００３】
前記導光板５２の背面には白色系のカバー５３が被着され、同カバー５３は、前記本体内に前記発光素子５５からの光が漏洩するのを防ぐとともに、拡散しながら進行してきた光を前記出射面５２ｂに向けて反射させる機能も有している。又、前記出射面５２ｂには、銀色系の金属板からなり、前記出射面５２ｂより面積が小さい矩形状の反射板５４が貼着されており、同反射板５４により出射しようとする光は再度前記導光板５２内に反射されるようになっている。
【０００４】
前記反射板５４により反射された光は反射を繰り返しながら集光され、前記反射板５４と前記出射面５２ｂとの間に形成された枠体状の部位から、矢印で示すように、輝度の高い光となって外部に投射されるようになっている。
【０００５】
しかしながら、前記枠体状の部位から投射された光は、周囲に拡散しやすい傾向があり、遠くの水平方向からは視認しずらいというような問題が残されていた。
【０００６】
又、他の従来例として、図８（Ｂ）で示すように、空気清浄機等の本体６０の前面上部内に、ＬＥＤ等からなる発光素子６４とスイッチ６３等を配設した操作基板６２を縦長状に配置し、前記本体６０の前縁に設けられた切欠きに操作ボタン６１を装着した例が提示されている（例えば、特許文献２参照）。前記発光素子６４は前記本体６０の前面に形成された水平方向の貫通孔に挿入されることにより、比較的距離のある水平方向からも視認が容易となっており、又、前記操作ボタン６１も操作性を高めるため、下方に押圧して操作できるように形成されている。
【０００７】
前記操作ボタン６１は前部が曲面状に形成された押圧部６１ａと、同押圧部６１ａを上下方向に回動自在に軸支する支軸６１ｂと、前記スイッチ６３を押圧する押圧部６１ｃと、前記押圧部６１ａを上方に付勢する弾性部６１ｃとからなり、前記押圧部６１ｃを上方から押圧すると、前記押圧部６１ｃが前記スイッチ６３に接触するとともに、これを押圧するようになっている。
【０００８】
しかしながら、前記本体６０の前面上部にスペースが確保できない場合は、上記した構成のように、前記発光素子６４とスイッチ６３等を配設した操作基板６２を縦長状に配置することは難しく、操作基板を水平方向に配置した場合でも、スイッチの操作性と、発光素子の視認性を両立できる構成が求められていた。
【０００９】
【特許文献１】特開２００５−１４８１８１号（４頁、図４）
【特許文献２】特開平１１−１９５３３９号（３頁、図３）
【発明の開示】
【発明が解決しようとする課題】
【００１０】
本発明は、上記問題点に鑑み、機器本体内に、ダイオード等の発光素子と、スイッチ等を配設した操作基板を水平状に配置して、操作性を向上しつつ、視認性も向上させた表示面を有する機器を提供することを目的とする。
【課題を解決するための手段】
【００１１】
本発明は、上記課題を解決するため、本体内に配設された基板上に発光素子とスイッチとを実装し、操作面と、同操作面に対して角度をもって設けられる表示孔を有する表示面を備えた機器において、前記基板は前記操作面と平行に配設され、前記スイッチは前記操作面に対応して配置され、前記発光素子は前記表示面に対応して配置され、前記表示面と前記発光素子との間に、一部を前記表示孔に臨ませた導光部材を有する構成となっている。又、前記導光部材の背面に反射材を設けてなる構成となっている。又、前記導光部材に防水機構を設けてなる構成となっている。
【発明の効果】
【００１２】
本発明によると、本体内に配設された基板上に発光素子とスイッチとを実装し、操作面と、同操作面に対して角度をもって設けられる表示孔を有する表示面を備えた機器において、前記基板は前記操作面と平行に配設され、前記スイッチは前記操作面に対応して配置され、前記発光素子は前記表示面に対応して配置され、前記表示面と前記発光素子との間に、一部を前記表示孔に臨ませた導光部材を有する構成とすることにより、より操作性を向上しつつ視認性を向上させた機器となっている。又、前記導光部材の背面に反射材を設けることにより、より視認性を向上させた構成となっている。又、前記導光部材に防水機構を設けたことにより、なんらかの原因により本体に水等が掛かっても機器を保護できるようになっている。
【発明を実施するための最良の形態】
【００１３】
以下、本発明の実施の形態を、添付図面に基づいた実施例として詳細に説明する。
【実施例１】
【００１４】
図１は、本発明による表示装置を備えた空気調和機としての脱臭器を示す外観斜視図であり、図２はその断面図である。図３は吸着脱臭部を示す斜視図であり、図４はオゾン脱臭部を示す斜視図である。図５は表示装置の断面図であり、図６はその斜視図である。又、図７は表示装置の要部拡大図である。
【００１５】
本発明による表示装置を備えた脱臭器は、図１の外観斜視図で示すように、樹脂材からなる、床面に立設可能な縦長状の本体１の前面中央に、横方向の桟を上下方向に連設して吸込口５を形成し、上面に、風向板としての第一ルーバ６ａと、第二ルーバ６ｂとを備えた吹出口６を形成している。又、前記吸込口５の上方にはリモートコントローラからの信号を受信する受光部７が設けられ、前記吹出口６の前方には、複数の表示ランプ１０を備えた表示部９と、操作ボタン８が夫々設けられている。
【００１６】
前記本体１は、前記吸込口５を形成した、後面が開放されたフロントパネル２と、前面と上面とが開放され、前記フロントパネル２が装着されるリアパネル３と、前記吹出口６を形成し下面が開放されたトップパネル４とから構成され、これらは螺着あるいは係合等により一体に組付られるようになっている。
【００１７】
前記本体１内には、図２の断面図で示すように、前記吸込口５の裏面に、集塵フィルタ１３と、触媒フィルタ１４と、活性炭フィルタ１５とを前後に積層した吸着脱臭部１２が設けられ、その背面側に、同吸着脱臭部１２を通過してきた空気を吸引し、上方に向けて吹出す送風ファン１７が設けられている。又、本体１内の上部には、オゾン脱臭部１８と、同オゾン脱臭部１８及び前記送風ファン１７等を制御する制御部１１とが設けられている。
【００１８】
前記吸着脱臭部１２は前記吸込口５から吸込まれた空気に含有される高濃度臭気成分を脱臭処理し、前記オゾン脱臭部１８は、オゾンを発生させて低濃度臭気成分を脱臭処理するようになっており、又、同オゾン脱臭部１８は低濃度オゾンを前記吹出口６から室内に放出して、壁面、家具、衣服等に染みついた臭気成分を分解するようになっている。
【００１９】
前記吸着脱臭部１２は、図３で示すように、前面側から集塵フィルタ１３、触媒フィルタ１４、活性炭フィルタ１５を順次積層した三層構造に構成され、前記集塵フィルタ１３はプリーツ構造を有し、空気中に含有される塵埃、微粒子等を吸着するようになっている。前記触媒フィルタ１４はアンモニア吸着特性を有するゼオライトが配合されたフィルタ及びホルムアルデヒト分解特性を有する金属酸化物を含有するフィルタにより構成され、空気中に含有される汗臭等のアルデヒト系臭気、体臭等の脂肪酸臭気、アンモニア系臭気等を吸着するようになっている。又、同触媒フィルタ１４の前面側には蛇行状に加熱ヒータ１６が配設されおり、同加熱ヒータ１６の加熱により吸着された臭気成分の分解が促進されるようになっている。前記活性炭フィルタ１５は、前記触媒フィルタ１４で吸収しきれなかった臭気成分を吸着し、一時的に蓄積するようになっている。
【００２０】
前記オゾン脱臭部１８は、図４で示すように、内壁面に光触媒を塗布した箱体状のケース１９と、同ケース１９内に配設された紫外線ランプ２２とからなり、下面に複数の流入口２０を形成し、又、側面に複数の流出口２１を形成している。前記紫外線ランプ２２が起動され紫外線が発光されると周囲を流れる空気中にオゾンが発生し、同オゾンにより低濃度臭気成分が分解されるようになっている。又、内壁面に塗布された光触媒に紫外線が照射されると強力な臭気分解作用を有する水酸基ラジアルが発生するようになっている。
【００２１】
前記流入口２０には、フィン２３を左右に形成した桟が多数備えられており、流入した空気は前記フィン２３により乱流となって、前記紫外線ランプ２２により発生したオゾンと充分に混合され、脱臭効率を向上させるようになっている。又、前記ケース１９の天井面内壁には、略くの字形状に形成されたガイド部材１９ａが備えられており、同ガイド部材１９ａにより空気は左右方向に偏向されて、再度オゾンと混合され、前記流出口２１から流出するようになっている。
【００２２】
前記本体１の前面上部内には、図５の断面図で示すように、ＬＥＤ等からなる複数の発光素子２６を、これから下方に延設された電極ピンをハンダ接合することにより立設させた操作基板２４が水平状に配設されており、又、同操作基板２４上には、前記発光素子２６を収納する収納部を備えた透明部材からなり、樹脂成型により形成された導光部材１０が支持されるとともに、スイッチ２５等の部材及び電子部品が配設されている。前記表示部９の前面に設けられた操作ボタン９は下端部を前記スイッチ２５に接触させており、前記操作ボタン９が押下されると、前記スイッチ２５がこれとともに押下され、起動信号あるいは停止信号等が前記制御部１１に送出されるようになっている。
【００２３】
透明部材からなる前記導光部材１０は、図６の斜視図で示すように、前記発光素子２６を収納し略台形状に形成された区画を、後板により一体に連結して形成され、夫々の区画の前面に膨出部１０ａを設けている。同膨出部１０ａは、前記表示部９に穿設された複数の矩形状の孔に後方側から挿入され前記本体１表面に露出して、前記発光素子２６から発光された光を前面側に透過させるようになっており、上方や水平方向から見やすいように斜めになっている。
【００２４】
又、前記導光部材１０の上部前面と下部に対応する前記本体１の内壁面には、図７の要部断面図で示すように、水平方向に溝が形成され、同溝には、断面円筒状のパッキン２７が勘合されており、使用者が不注意により前記本体１に水を零したとしても、前記パッキン２７により水分の侵入を防止することができるようになっている。
【００２５】
又、前記発光素子２６の上方に位置する前記導光部材１０の背面壁には、図７で示すように、白色系の反射材１０ｂが形成されている。矢印で示すように、前記発光素子２６から上方に向け投射された光は、前記膨出部１０ａを通過することにより、前記本体１の上方からの視認が容易となっているが、前記発光素子２６から後方側に向け、略水平状に投射された光は、深い角度で前記反射材１０ｂに入射し、前記本体１の前面側に水平状に向かうよう反射されることにより、比較的遠い水平距離からも、前記発光素子２６からの光の視認が容易となっている。これにより、リモートコントローラ操作の際に、比較的離れた位置にいる使用者にとっても、確認及び操作が容易な表示装置及び同表示装置を備えた脱臭器とすることができるようになっている。尚、前記反射材１０ｂは塗装、あるいは貼着でも形成できるが、前記導光部材１０を樹脂成型する際、一体となって形成すれば、よりコストを低減することもできるようになっている。
【００２６】
上記したように、ＬＥＤ等からなる複数の発光素子２６と、スイッチ２５を備えた操作基板２４を水平状に配設することにより、本体１内のスペースを有効利用できるとともに、前記導光部材１０の背面壁に反射材１０ｂを形成し、前記発光素子２６か後方側に向け投射された光を、反射材１０ｂにより反射することにより、比較的遠い水平距離からも、前記発光素子２６からの光の視認が容易となっている。
【図面の簡単な説明】
【００２７】
【図１】本発明による表示装置を備えた空気調和機としての脱臭器を示す外観斜視図である。
【図２】脱臭器の断面図である。
【図３】吸着脱臭部を示す斜視図である。
【図４】オゾン脱臭部を示す斜視図である。
【図５】本体前面上部の断面図である。
【図６】導光部材の斜視図である。
【図７】表示装置の要部拡大図である。
【図８】（Ａ）は従来の表示装置の一例を示す断面図である。  （Ｂ）は、従来の他の表示装置の一例を示す断面図である。
【符号の説明】
【００２８】
１  本体
２  フロントパネル
３  リアパネル
４  トップパネル
５  吸込口
６  吹出口
６ａ  第一ルーバ
６ｂ  第二ルーバ
７  受光部
８  操作ボタン
９  表示部
１０  導光部材
１０ａ  膨出部
１０ｂ  反射材
１１  制御部
１２  吸着脱臭部
１３  集塵フィルタ
１４  触媒フィルタ
１５  活性炭フィルタ
１６  加熱ヒータ
１７  送風ファン
１８  オゾン脱臭部
１９  ケース
１９ａ  ガイド部材
２０  流入口
２１  流出口
２２  紫外線ランプ
２３  フィン
２４  操作基板
２５  スイッチ
２６  発光素子
２７  パッキン
【図１】
2007109449.tif 000003
【図２】
2007109449.tif 000004
【図３】
2007109449.tif 000005
【図４】
2007109449.tif 000006
【図５】
2007109449.tif 000007
【図６】
2007109449.tif 000008
【図７】
2007109449.tif 000009
【図８】
2007109449.tif 000010